(57)【特許請求の範囲】
【請求項１】
ハウジングと、該ハウジング内で互いに角度をずらせてかみ合わせた一対の渦巻体と、一方の前記渦巻体の外周面と対向する前記ハウジングの一部に設けた吸入孔とを含み、一方の前記渦巻体に相対的な公転運動を与えて、一対の前記渦巻体間に形成する密閉空間を中心方向へ移動させながら容積を減縮して中心部から圧縮流体を吐出させるスクロール型圧縮機において、前記ハウジングの内壁面及び一対の前記渦巻体の外周面のうちの少なくとも一方の面に、オイルを前記吸入孔から前記ハウジング内へ流入させるために前記吸入孔を含む周方向をオイル流入経路となすオイル封入用の溝を有していることを特徴とするスクロール型圧縮機。
【請求項２】
請求項１記載のスクロール型圧縮機において、前記溝を前記周方向に沿って環状に形成したことを特徴とするスクロール型圧縮機。
【請求項３】
ハウジングと、該ハウジング内で互いに角度をずらせてかみ合わせた一対の渦巻体と、一方の前記渦巻体の外周面と対向する前記ハウジングの一部に設けた吸入孔とを含み、一方の前記渦巻体に相対的な公転運動を与えて、一対の前記渦巻体間に形成する密閉空間を中心方向へ移動させながら容積を減縮して中心部から圧縮流体を吐出させるスクロール型圧縮機において、前記ハウジングの内壁面には、オイルを前記吸入孔から前記ハウジング内へ流入させるために前記吸入孔を含む周方向をオイル流入経路となすオイル封入用の溝が形成されており、前記溝が位置している前記ハウジングの外面に前記ハウジングと同じ部材によって肉盛り部が形成されていることを特徴とするスクロール型圧縮機。
【発明の詳細な説明】
【０００１】
【発明の属する技術分野】
本発明はスクロール型圧縮機に属し、特に、生産工程において吸入孔からハウジング内へオイルを流入させるタイプのスクロール型圧縮機に属する。
【０００２】
【従来の技術】
従来のスクロール型圧縮機は、一対の渦巻体を角度をずらせてかみ合わせ、相対的な円運動（公転運動のみ）を与えて、両渦巻体間に形成する密閉空間を中心方向へ移動させながら容積を減縮して中心部から圧縮流体を吐出させるようにした容積式流体圧縮装置である。
【０００３】
従来技術のスクロール型圧縮機は、図３に示すように、外郭を構成するハウジング１０を有している。ハウジング１０は、大径の有底円筒体からなるリアハウジング１０１と、フロントハウジング１００とを有している。フロントハウジング１００はリアハウジング１０１の開放端に固定された大径円筒部１０３と小径円筒部１０５とを備えている。リアハウジング１０１とフロントハウジング１００とは中心軸を同一にして配設されている。
【０００４】
ハウジング１０の中心軸線Ｘ上にはシャフト１１が配されている。シャフト１１はフロントハウジング１００の小径円筒部１０５を通ってハウジング１０内へのびている。また、シャフト１１はフロントハウジング１００の小径円筒部１０５に包囲された小径部１１ａと、フロントハウジング１００の大径円筒部１０３に包囲された大径部１１ｂとを有している。
【０００５】
大径部１１ｂの端部には、軸線Ｘに平行にのびている駆動ピン１２が軸線Ｘから偏心して固定されている。シャフト１１は大径部１１ｂがニードルベアリング１３を介してフロントハウジング１００の大径部１１ｂにより回転自在に支承され、小径部１１ａがボールベアリング１４を介してフロントハウジング１００の小径円筒部１０５により回転自在に支承されている。
【０００６】
小径円筒部１０５には、径方向外方に電磁クラッチ１５が配設されている。電磁クラッチ１５は、小径円筒部１０５に回転自在に外嵌するとともに、図示しないＶ形ベルトを介して外部駆動源に接続されたプーリ１５ａと小径部１１ａの端部に固定された回転伝達板１５ｃとを備えている。シャフト１１は駆動源により回転駆動される。
【０００７】
リアハウジング１０１内には、固定スクロール１６が配設されている。固定スクロール１６は軸線Ｘと同心に配設されてリアハウジング１０１に嵌合する円板状の端板１６ａと、この端板１６ａの一方の面に形成された渦巻体１６ｂとを備えている。固定スクロール１６は端板１６ａの他方の面に形成された脚１６ｃを備えている。固定スクロール１６は、脚１６ｃがリアハウジング１０１の底部１０１ａに当接した状態でボルト１７によってリアハウジング１０１に固定されている。リアハウジング１０１の内部空間は、固定スクロール１６の端板１６ａによって吸入室１８と吐出室１９とに仕切られている。
【０００８】
さらに、リアハウジング１０１内には固定スクロール１６に隣接して可動スクロール２０が配設されている。可動スクロール２０は円板状の端板２０ａと、この端板２０ａの一方の面に形成された渦巻体２０ｂと、端板２０ａの他方の面に形成された環状のボス２０ｃとを備えている。
【０００９】
リアハウジング１０１には、吸入室１８に連通されている吸入孔（吸入ポート）１８ａと吐出室１９に連通している吐出孔（吐出ポート）１９ａとが設けられている。吸入孔１８ａは可動スクロール２０の渦巻体２０ｂに対向しており、可動スクロール２０が公転運動を行なうものであるが、図１に示した状態では吸入孔１８ａを塞ぐようにわずかな隙間をもって、もっとも接近した状態となる。なお、圧縮機を組み立てるときには、吸入室１８へオイルを封入する生産工程で吸入孔１８ａから吸入室１８へオイルを流入し封入している。
【００１０】
端板２０ａの中心軸線Ｙは軸線Ｘから距離ｒｓ偏心している。可動スクロール２０の渦巻体２０ｂは固定スクロール１６の渦巻体１６ｂと１８０度の角度の位相差をもってかみ合っている。ボス２０ｃには端板２０ａと同心に配設された厚肉円板状の偏心ブッシュ２１がニードルベアリング２２を介して回転自在に内嵌している。偏心ブッシュ２１には軸線Ｘに平行にのびる偏心した貫通穴２１ａが形成されている。
【００１１】
また、偏心ブッシュ２１には径方向にのびるカウンターウェイト２３が固定されている。偏心ブッシュ２１の貫通穴２１ａはシャフト１１の大径部１１ｂに固定された駆動ピン１２を摺動可能に収容している。偏心ブッシュ２１に形成されたピン２１はシャフト１１の大径部１１ｂの端部に位置し、偏心ブッシュ２１とカウンターウェイト２３とを互いに固定する役割を有している。
【００１２】
さらに、フロントハウジング１００の大径円筒部１０３の端部に固定されたドーナツ板状のフロントハウジング側レース（レース部材）２４と、可動スクロール２０の端板２０ａに固定されたドーナツ板状の可動スクロール側レース（レース部材）２５と周方向に互いに間隔を隔ててフロントハウジング側レース２４と可動スクロール側レース２５との間に介在する複数のボール２６とによって、可動スクロール自転防止用のボールカップリングが構成されている。
【００１３】
上述した構成のスクロール型圧縮機は、可動スクロール２０の公転にともなって、ボール２６がフロントハウジング側レース２４，可動スクロール側レース２５内を可動スクロール２０の公転半径ｒｓと略同一半径の円軌道を描いて転走する。また、可動スクロール２０の公転にともなって、ボール２６はフロントハウジング側レース２４，可動スクロール側レース２５へ押しつけられた状態で可動スクロール２０の公転半径ｒｓと略同一半径に円軌道を描いて滑らかに転走することができる。この結果、可動スクロール２０はフロントハウジング１００、ひいては固定スクロール１６に対して所定の角度関係を維持しつつ公転することになる。
【００１４】
【発明が解決しようとする課題】
従来、車両用のスクロール型圧縮機では、圧縮機を組み立てるときに、吸入室１８へオイルを封入する生産工程で可動スクロール２０の渦巻体２０ｂの位置が吸入孔１８ａを塞ぐようにもっとも接近した状態となっているときに、生産性を考慮した流速でオイル封入作業を行なうと、オイルが入りきれずに吸入孔１８ａへ外へ溢れでてしまうという問題がある。
【００１５】
したがって、生産工程では可動スクロール２０の渦巻体２０ｂの位置を確認し、吸入孔１８ａを塞ぐようにもっとも接近した状態となっているときには、手によってシャフト１１を回転させ、可動スクロール２０の渦巻体２０ｂの位置をずらしてから、吸入孔１８ａから吸入室１８へオイルを封入しているので、手間がかかってしまうことから生産性に劣るという問題がある。
【００１６】
それ故に、本発明の課題は、組み立て時に生産性を考慮した流速でオイル封入作業を行なうことができるスクロール型圧縮機を提供することにある。
【００１７】
【課題を解決するための手段】
本発明によれば、ハウジングと、該ハウジング内で互いに角度をずらせてかみ合わせた一対の渦巻体と、一方の前記渦巻体の外周面と対向する前記ハウジングの一部に設けた吸入孔とを含み、一方の前記渦巻体に相対的な公転運動を与えて、一対の前記渦巻体間に形成する密閉空間を中心方向へ移動させながら容積を減縮して中心部から圧縮流体を吐出させるスクロール型圧縮機において、前記ハウジングの内壁面及び一対の前記渦巻体の外周面のうちの少なくとも一方の面に、オイルを前記吸入孔から前記ハウジング内へ流入させるために前記吸入孔を含む周方向をオイル流入経路となすオイル封入用の溝を有していることを特徴とするスクロール型圧縮機が得られる。
【００１８】
また、本発明によれば、ハウジングと、該ハウジング内で互いに角度をずらせてかみ合わせた一対の渦巻体と、一方の前記渦巻体の外周面と対向する前記ハウジングの一部に設けた吸入孔とを含み、一方の前記渦巻体に相対的な公転運動を与えて、一対の前記渦巻体間に形成する密閉空間を中心方向へ移動させながら容積を減縮して中心部から圧縮流体を吐出させるスクロール型圧縮機において、前記ハウジングの内壁面には、オイルを前記吸入孔から前記ハウジング内へ流入させるために前記吸入孔を含む周方向をオイル流入経路となすオイル封入用の溝が形成されており、前記溝が位置している前記ハウジングの外面に前記ハウジングと同じ部材によって肉盛り部が形成されていることを特徴とするスクロール型圧縮機が得られる。
【００１９】
【作用】
本発明のスクロール型圧縮機おいては、例えば、車両用として用いる場合、車両の限られたスペースに設置しなければならず小形化が要求されているので、設計の段階で、通常、吸入孔を塞ぐように接近させて一方の渦巻体を配置する構造が採用されている。
【００２０】
このような構造のスクロール型圧縮機では、ハウジング又は渦巻体を切削加工するときに、オイル封入用の溝を形成することによって、組み立て時における一方の渦巻体のどのような位置にかかわらず、ハウジング内へのオイル流入経路が確保される。したがって、組み立て時には、一方の渦巻体がハウジングの内壁面に対して吸入孔を塞ぐように接近している状態であっても、溝をオイル流入経路としてハウジング内へ流入させることができる。
【００２１】
また、ハウジングの溝を環状に全周に対し形成すると、通常、ハウジングのインローは旋削加工するため、容易に形成することができる。さらに、溝が位置しているハウジングの外面に前記ハウジングと同じ部材によって肉盛り部を形成すると、ハウジングの局部的な強度を補強することができる。
【００２２】
【発明の実施の形態】
以下、本発明のスクロール型圧縮機の第１の実施の形態例について図１を参照して説明する。なお、スクロール型圧縮機は図３で説明した構成のスクロール型圧縮機とほぼ同じ構成であるため、発明の要部を除く部分には同じ符号を付して構成が同じ部分の説明を省略する。
【００２３】
図１を参照して、リアハウジング１０１内には固定スクロール１６に隣接して可動スクロール２０が配設されている。可動スクロール２０は円板状の端板２０ａと、この端板２０ａの一方の面に形成された渦巻体２０ｂとを備えている。
【００２４】
リアハウジング１０１には、吸入室１８に連通されている吸入孔（吸入ポート）１８ａと吐出室１９に連通している吐出孔（吐出ポート）１９ａとが設けられている。吸入孔１８ａは冷媒ガスをハウジング１０内へ供給し、吐出孔１９ａは渦巻体１６ｂ，２０ｂによって圧縮された冷媒ガスをハウジング１０外へ供給するものである。
【００２５】
吸入孔１８ａは可動スクロール２０の渦巻体２０ｂに対向しており、公転運動を行なうものであるが、図１に示した状態では吸入孔１８ａを塞ぐようにわずかな隙間をもって、もっとも接近した状態となる。
【００２６】
リアハウジング１０１の内壁面には、オイルを吸入孔１８ａからハウジング１０内へ流入させるために吸入孔１８ａを含む周方向をオイル流入経路となすオイル封入用の第１の溝１０１ｇが形成されている。可動スクロール２０の渦巻体２０ｂの外周面には、オイルを吸入孔１８ａからハウジング１０内へ流入させるために吸入孔１８ａを含む周方向をオイル流入経路となすオイル封入用の第２の溝２０ｇが形成されている。
【００２７】
リアハウジング１０１の内壁面には、第１の溝１０１ｇが環状に形成されている。第１の溝１０１ｇは、リアハウジング１０１の内壁面を切削加工することによって得られる。可動スクロール２０の渦巻体２０ｂの外周面には、第２の溝２０ｇが環状に形成されている。第２の溝２０ｇは渦巻体２０ｂの外周面を切削加工することによって得られる。
【００２８】
ところで、圧縮機の組み立て時におけるハウジング１０内の吸入室１８へオイルを封入するための生産工程では、吸入孔１８ａから吸入室１８へオイルを封入している。圧縮機を組み立てるときには、吸入室１８へオイルを封入する生産工程で可動スクロール２０の渦巻体２０ｂの位置を確認することなしに、生産性を考慮した流速でオイルを流入して封入作業を行なうことができる。
【００２９】
この際、第１及び第２の溝１０１ｇ，２０ｇはオイル流入経路となり、吸入孔１８ａからハウジング１０内へ円滑にオイルを流入させることができる。したがって、渦巻体２０ｂの外周面が吸入孔１８ａを塞ぐようにもっとも接近した状態となっているときにおいても、生産工程のオイル封入作業を低下させることがなく、オイルが吸入孔１８ａの外へ溢れることがない。
【００３０】
なお、この第１の実施に形態では、リアハウジング１０１の内壁面及び可動スクロール２０の渦巻体２０ｂの外周面に第１及び第２の溝１０１ｇ，２０ｇを形成したが、この構成に限定されるものではなく、生産性を考慮した流速及び流量によって、リアハウジング１０１の内壁面及び可動スクロール２０の渦巻体２０ｂの外周面のうちのどちらか一方に形成するのみでもよい。
【００３１】
図２は、本発明のスクロール圧縮機の第２の実施の形態例を示している。なお、図１において説明した第１の実施の形態例と同じ部分には同じ符号を付して説明を省略する。
【００３２】
第２の実施の形態例におけるスクロール型圧縮機では、リアハウジング１０１の内壁面に位置している第１の溝１０１ｇのリアハウジング１０１の外面にリアハウジング１０１と同じ部材によって肉盛り部１０１ｍが形成されている。肉盛り部１０１ｍは、第１の溝１０１ｇのリアハウジング１０１の薄肉となった部分の局部的な強度不足を補う役目を果たす。
【００３３】
【発明の効果】
以上説明したように、本発明のスクロール型圧縮機によれば、ハウジングの内壁面及び可動スクロールの渦巻体の外周面の少なくとも一方の面に、オイル封入用の溝を形成したので、圧縮機を組み立てるときに、吸入室へオイルを封入する生産工程で可動スクロールの渦巻体の位置を確認する必要がなく、生産性を考慮した流速でオイル封入作業を行なうとができる。
【００３４】
また、ハウジングには、溝が位置しているハウジングの外面にハウジングと同じ部材によって肉盛り部を形成したので、ハウジングの溝を形成した部分の局部的な強度不足を補うことができる。
【図面の簡単な説明】
【図１】本発明のスクロール型圧縮機の第１の実施の形態を示す縦断面図である。
【図２】本発明のスクロール型圧縮機の第２の実施の形態の要部を示す縦断面図である。
【図３】従来のスクロール型圧縮機の一例を示す縦断面図である。
【符号の説明】
１０    ハウジング
１１    シャフト
１１ａ    小径円筒部
１１ｂ    大径円筒部
１６    固定スクロール
１６ｂ，２０ｂ，  渦巻体
１８    吸入室
１８ａ    吸入孔
１９    吐出室
２０    可動スクロール
２０ｇ    第２の溝
１００    フロントハウジング
１０１    リアハウジング
１０１ｇ    第１の溝
１０１ｍ    肉盛り部
【図１】
0004246826.tif 000002
【図２】
0004246826.tif 000003
【図３】
0004246826.tif 000004